(57)【要約】【課題】遊技機の不正を容易に管理する。【解決手段】遊技機１毎に、基板や部品に付されている第１の通信方式のＩＣタグ１１，１２について、読取部１２１により読み取られる情報、および読取部１２３により読み取られる第２の通信方式のＩＣタグ１３，１４の情報からなる情報のグループと、予め登録されてメモリ１３５に、遊技機１に対応付けて記憶されているＩＣタグ１１乃至１４の情報のグループとが一致しているか否かを比較判定することにより、不正な基板や部品の使用を管理する。本発明は、遊技機の管理処理に適用することができる。【選択図】図４
2010110518.tif 000002
【特許請求の範囲】
【請求項１】
遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、
前記遊技機を構成する複数の構成部品に付され、それぞれを識別する第２の通信方式のＩＣタグと、前記第２の通信方式で通信することにより、前記第２のＩＣタグの情報を読み取る第２の読取手段と、
前記第１のＩＣタグの情報、および前記第２のＩＣタグの情報からなる情報のグループを、登録された前記遊技機毎に対応付けて記憶する記憶手段と、
前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段と
を含む情報処理装置。
【請求項２】
前記記憶手段は、前記第１のＩＣタグの情報、および前記第２のＩＣタグの情報に加えて、前記第１のＩＣタグの通信方式、および前記第２のＩＣタグの通信方式の情報からなる情報のグループを、登録された前記遊技機毎に対応付けて記憶する
請求項１に記載の情報処理装置。
【請求項３】
前記第１および第２の読取手段により読み取られたＩＣタグの情報のグループを前記記憶手段に記憶されるように、登録する登録手段をさらに含む
請求項１に記載の情報処理装置。
【請求項４】
前記第１および第２の通信方式は、13.56MHz、および2.45GHzの周波数帯域の電波による通信方式を含む
請求項１に記載の情報処理装置。
【請求項５】
遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、
前記遊技機を構成する複数の構成部品に付され、それぞれを識別する第２の通信方式のＩＣタグと、前記第２の通信方式で通信することにより、前記第２のＩＣタグの情報を読み取る第２の読取手段と、
前記第１のＩＣタグの情報、および前記第２のＩＣタグの情報からなる情報のグループを、登録された前記遊技機毎に対応付けて記憶する記憶手段と、
前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段と
を含む情報処理装置の情報処理方法は、
前記第１の読取手段による、前記遊技機を構成する複数の構成部品に付され、それぞれを識別する第１の通信方式の第１のＩＣタグと、前記第１の通信方式で通信することにより、前記第１のＩＣタグの情報を読み取る第１の読取ステップと、
前記第２の読取手段による、前記遊技機を構成する複数の構成部品に付され、それぞれを識別する第２の通信方式のＩＣタグと、前記第２の通信方式で通信することにより、前記第２のＩＣタグの情報を読み取る第２の読取ステップと、
前記記憶手段による、前記第１のＩＣタグの情報、および前記第２のＩＣタグの情報からなる情報のグループを、登録された前記遊技機毎に対応付けて記憶する記憶ステップと、
前記判定手段による、前記第１の読取ステップの処理により読み取った第１のＩＣタグの情報、および、前記第２の読取ステップの処理により読み取った第２のＩＣタグの情報からなる情報のグループが、前記記憶ステップの処理により記憶されている情報グループと一致するか否かを判定する判定ステップと
を含む情報処理方法。
【請求項６】
遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、
前記遊技機を構成する複数の構成部品に付され、それぞれを識別する第２の通信方式のＩＣタグと、前記第２の通信方式で通信することにより、前記第２のＩＣタグの情報を読み取る第２の読取手段と、
前記第１のＩＣタグの情報、および前記第２のＩＣタグの情報からなる情報のグループを、登録された前記遊技機毎に対応付けて記憶する記憶手段と、
前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段と
を含む情報処理装置を制御するコンピュータに、
前記第１の読取手段による、前記遊技機を構成する複数の構成部品に付され、それぞれを識別する第１の通信方式の第１のＩＣタグと、前記第１の通信方式で通信することにより、前記第１のＩＣタグの情報を読み取る第１の読取ステップと、
前記第２の読取手段による、前記遊技機を構成する複数の構成部品に付され、それぞれを識別する第２の通信方式のＩＣタグと、前記第２の通信方式で通信することにより、前記第２のＩＣタグの情報を読み取る第２の読取ステップと、
前記記憶手段による、前記第１のＩＣタグの情報、および前記第２のＩＣタグの情報からなる情報のグループを、登録された前記遊技機毎に対応付けて記憶する記憶ステップと、
前記判定手段による、前記第１の読取ステップの処理により読み取った第１のＩＣタグの情報、および、前記第２の読取ステップの処理により読み取った第２のＩＣタグの情報からなる情報のグループが、前記記憶ステップの処理により記憶されている情報グループと一致するか否かを判定する判定ステップと
を含む処理を実行させるプログラム。
【発明の詳細な説明】
【技術分野】
【０００１】
本発明は、情報処理装置および方法、並びにプログラムに関し、特に、遊技機を構成する複数の構成部品のうち、不正な構成部品の有無を容易に管理できるようにした情報処理装置および方法、並びにプログラムに関する。
【背景技術】
【０００２】
パチンコ店やパチスロ店に代表される遊技店においては、遊技機のROM（Read Only Memory）基板に偽造を防止するための非接触記録媒体いわゆるRFID（Radio Frequency Identyfication）タグ（以下、ＩＣ（Integrated Circuit）タグとも称するものとする）が貼り付けられている。
【０００３】
この遊技機のROM基板に貼り付けられたＩＣタグ、並びに、基板および遊技機に貼り付けられたバーコードから読み取った、部品情報（ＩＣタグ）と、遊技機の台番号（バーコード）とに関する情報を収集し、それらを照合することで部品を管理する技術が提案されている（特許文献１参照）。
【０００４】
【特許文献１】特開２０００−０２４２６９号公報
【発明の開示】
【発明が解決しようとする課題】
【０００５】
しかしながら、近年、部品・基板の偽造による不正が増加しており、ROM基板に限らず、あらゆる部品・基板あるいはそれらを収納するケース等にＩＣタグを貼り付けて不正に備えるようになっている。
【０００６】
上述した引用文献１に記載された技術においては、部品と遊技機を識別する台番号とを収集・管理するものであり、遊技機の複数の部品・基板の正当性を判定するためには、異なる通信方式や異なるプロトコルによりＩＣタグの情報を読み取り管理する以前に、部品情報として予め登録しておく必要があるため、その登録に従業員による膨大な作業が必要となり、定期的に不正を監視するための障害になっていた。
【０００７】
本発明はこのような状況に鑑みてなされたものであり、異なる通信方式や異なるプロトコルからなる複数のＩＣタグの情報を遊技機毎に容易に登録すると共に、それらを遊技機単位で情報のグループとして管理することで、遊技機の不正を容易に管理できるようにするものである。
【課題を解決するための手段】
【０００８】
本発明の一側面の情報処理装置は、遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、前記遊技機を構成する複数の構成部品に付され、それぞれを識別する第２の通信方式のＩＣタグと、前記第２の通信方式で通信することにより、前記第２のＩＣタグの情報を読み取る第２の読取手段と、前記第１のＩＣタグの情報、および前記第２のＩＣタグの情報からなる情報のグループを、登録された前記遊技機毎に対応付けて記憶する記憶手段と、前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段とを含む。
【０００９】
前記記憶手段には、前記第１のＩＣタグの情報、および前記第２のＩＣタグの情報に加えて、前記第１のＩＣタグの通信方式、および前記第２のＩＣタグの通信方式の情報からなる情報のグループを、登録された前記遊技機毎に対応付けて記憶させるようにすることができる。
【００１０】
前記第１および第２の読取手段により読み取られたＩＣタグの情報のグループを前記記憶手段に記憶されるように、登録する登録手段をさらに含ませるようにすることができる。
【００１１】
前記第１および第２の通信方式には、13.56MHz、および2.45GHzの周波数帯域の電波による通信方式を含ませるようにすることができる。
【００１２】
本発明の一側面の情報処理方法は、遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、前記遊技機を構成する複数の構成部品に付され、それぞれを識別する第２の通信方式のＩＣタグと、前記第２の通信方式で通信することにより、前記第２のＩＣタグの情報を読み取る第２の読取手段と、前記第１のＩＣタグの情報、および前記第２のＩＣタグの情報からなる情報のグループを、登録された前記遊技機毎に対応付けて記憶する記憶手段と、前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段とを含む情報処理装置の情報処理方法であって、前記第１の読取手段による、前記遊技機を構成する複数の構成部品に付され、それぞれを識別する第１の通信方式の第１のＩＣタグと、前記第１の通信方式で通信することにより、前記第１のＩＣタグの情報を読み取る第１の読取ステップと、前記第２の読取手段による、前記遊技機を構成する複数の構成部品に付され、それぞれを識別する第２の通信方式のＩＣタグと、前記第２の通信方式で通信することにより、前記第２のＩＣタグの情報を読み取る第２の読取ステップと、前記記憶手段による、前記第１のＩＣタグの情報、および前記第２のＩＣタグの情報からなる情報のグループを、登録された前記遊技機毎に対応付けて記憶する記憶ステップと、前記判定手段による、前記第１の読取ステップの処理により読み取った第１のＩＣタグの情報、および、前記第２の読取ステップの処理により読み取った第２のＩＣタグの情報からなる情報のグループが、前記記憶ステップの処理により記憶されている情報グループと一致するか否かを判定する判定ステップとを含む。
【００１３】
本発明の一側面のプログラムは、遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、前記遊技機を構成する複数の構成部品に付され、それぞれを識別する第２の通信方式のＩＣタグと、前記第２の通信方式で通信することにより、前記第２のＩＣタグの情報を読み取る第２の読取手段と、前記第１のＩＣタグの情報、および前記第２のＩＣタグの情報からなる情報のグループを、登録された前記遊技機毎に対応付けて記憶する記憶手段と、前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段とを含む情報処理装置を制御するコンピュータに、前記第１の読取手段による、前記遊技機を構成する複数の構成部品に付され、それぞれを識別する第１の通信方式の第１のＩＣタグと、前記第１の通信方式で通信することにより、前記第１のＩＣタグの情報を読み取る第１の読取ステップと、前記第２の読取手段による、前記遊技機を構成する複数の構成部品に付され、それぞれを識別する第２の通信方式のＩＣタグと、前記第２の通信方式で通信することにより、前記第２のＩＣタグの情報を読み取る第２の読取ステップと、前記記憶手段による、前記第１のＩＣタグの情報、および前記第２のＩＣタグの情報からなる情報のグループを、登録された前記遊技機毎に対応付けて記憶する記憶ステップと、前記判定手段による、前記第１の読取ステップの処理により読み取った第１のＩＣタグの情報、および、前記第２の読取ステップの処理により読み取った第２のＩＣタグの情報からなる情報のグループが、前記記憶ステップの処理により記憶されている情報グループと一致するか否かを判定する判定ステップとを含む処理を実行させる。
【００１４】
本発明の一側面においては、遊技機を構成する複数の構成部品に付され、それぞれを識別する第１の通信方式の第１のＩＣタグと、前記第１の通信方式で通信することにより、前記第１のＩＣタグの情報が読み取られ、前記遊技機を構成する複数の構成部品に付され、それぞれを識別する第２の通信方式のＩＣタグと、前記第２の通信方式で通信することにより、前記第２のＩＣタグの情報が読み取られ、前記第１のＩＣタグの情報、および前記第２のＩＣタグの情報からなる情報のグループが、登録された前記遊技機毎に対応付けて記憶され、読み取った第１のＩＣタグの情報、および、読み取った第２のＩＣタグの情報からなる情報のグループが、記憶されている情報グループと一致するか否かが判定される。
【００１５】
本発明の一側面の情報処理装置における、遊技機を構成する複数の構成部品に付され、それぞれを識別する第１の通信方式の第１のＩＣタグと、前記第１の通信方式で通信することにより、前記第１のＩＣタグの情報を読み取る第１の読取手段とは、例えば、読取部であり、前記遊技機を構成する複数の構成部品に付され、それぞれを識別する第２の通信方式のＩＣタグと、前記第２の通信方式で通信することにより、前記第２のＩＣタグの情報を読み取る第２の読取手段とは、例えば、読取部であり、前記第１のＩＣタグの情報、および前記第２のＩＣタグの情報からなる情報のグループを、登録された前記遊技機毎に対応付けて記憶する記憶手段とは、例えば、メモリであり、前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段とは、例えば、完全判定部である。
【００１６】
すなわち、遊技機１台について、第１の読取部により読み取られる第１の通信方式の第１のＩＣタグの情報、および第２の読取部により読み取られる第２の通信方式の第２のＩＣタグの情報からなる情報のグループと、予め登録されてメモリに、遊技機に対応付けて記憶されているＩＣタグの情報のグループとが一致しているとき、正規のＩＣタグが付された基板や部品からなる、正規の遊技機であることを確認することが可能となる。
【００１７】
結果として、多くの遊技機のそれぞれについて、正規な基板や部品から構成されているか否かを容易に管理することが可能となる。
【発明の効果】
【００１８】
本発明によれば、異なる通信方式や異なるプロトコルからなる複数のＩＣタグの情報を遊技機毎に容易に登録することが可能になると共に、それらを遊技機単位で情報のグループとして管理することで、遊技機の不正を容易に管理することが可能となる。
【発明を実施するための最良の形態】
【００１９】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
すなわち、本発明の一側面の情報処理装置は、遊技機を構成する複数の構成部品に付され、それぞれを識別する第１の通信方式の第１のＩＣタグと、前記第１の通信方式で通信することにより、前記第１のＩＣタグの情報を読み取る第１の読取手段（例えば、図４の読取部１２１）と、前記遊技機を構成する複数の構成部品に付され、それぞれを識別する第２の通信方式のＩＣタグと、前記第２の通信方式で通信することにより、前記第２のＩＣタグの情報を読み取る第２の読取手段（例えば、図４の読取部１２３）と、前記第１のＩＣタグの情報、および前記第２のＩＣタグの情報からなる情報のグループを、登録された前記遊技機毎に対応付けて記憶する記憶手段（例えば、図４のメモリ１３５）と、前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段（例えば、図４の完全判定部１８６）とを含む。
【００２１】
前記記憶手段（例えば、図４のメモリ１３５）には、前記第１のＩＣタグの情報、および前記第２のＩＣタグの情報に加えて、前記第１のＩＣタグの通信方式、および前記第２のＩＣタグの通信方式の情報からなる情報のグループを、登録された前記遊技機毎に対応付けて記憶させるようにすることができる。
【００２２】
前記第１および第２の読取手段により読み取られたＩＣタグの情報のグループを前記記憶手段に記憶されるように、登録する登録手段（例えば、図４の登録部１７２）をさらに含ませるようにすることができる。
【００２３】
本発明の一側面の情報処理方法は、遊技機を構成する複数の構成部品に付され、それぞれを識別する第１の通信方式の第１のＩＣタグと、前記第１の通信方式で通信することにより、前記第１のＩＣタグの情報を読み取る第１の読取手段と、前記遊技機を構成する複数の構成部品に付され、それぞれを識別する第２の通信方式のＩＣタグと、前記第２の通信方式で通信することにより、前記第２のＩＣタグの情報を読み取る第２の読取手段と、前記第１のＩＣタグの情報、および前記第２のＩＣタグの情報からなる情報のグループを、登録された前記遊技機毎に対応付けて記憶する記憶手段と、前記第１の読取手段により読み取った第１のＩＣタグの情報、および、前記第２の読取手段により読み取った第２のＩＣタグの情報からなる情報のグループが、前記記憶手段により記憶されている情報グループと一致するか否かを判定する判定手段とを含む情報処理装置の情報処理方法であって、前記第１の読取手段による、前記遊技機を構成する複数の構成部品に付され、それぞれを識別する第１の通信方式の第１のＩＣタグと、前記第１の通信方式で通信することにより、前記第１のＩＣタグの情報を読み取る第１の読取ステップ（例えば、図７のステップＳ５１）と、前記第２の読取手段による、前記遊技機を構成する複数の構成部品に付され、それぞれを識別する第２の通信方式のＩＣタグと、前記第２の通信方式で通信することにより、前記第２のＩＣタグの情報を読み取る第２の読取ステップ（例えば、図７のステップＳ５７）と、前記記憶手段による、前記第１のＩＣタグの情報、および前記第２のＩＣタグの情報からなる情報のグループを、登録された前記遊技機毎に対応付けて記憶する記憶ステップ（例えば、図１２のステップＳ１２２）と、前記判定手段による、前記第１の読取ステップの処理により読み取った第１のＩＣタグの情報、および、前記第２の読取ステップの処理により読み取った第２のＩＣタグの情報からなる情報のグループが、前記記憶ステップの処理により記憶されている情報グループと一致するか否かを判定する判定ステップ（例えば、図１８のステップＳ２５３，Ｓ２６９）とを含む。
【００２４】
図１は、本発明に係る遊技機管理システムの一実施の形態の構成を示す図である。
【００２５】
この遊技機管理システムは、パチンコ遊技機や回胴式遊技機などに代表される遊技機を構成する、識別用のＩＣタグが付された複数の基板、および部品などのＩＣタグのＩＤを、ＩＤのグループとして遊技機に対応付けて登録しておき、読み出したＩＤのグループとの比較により不正の有無を管理する。遊技機管理システムは、例えば、図１で示されるように、遊技機１乃至３を構成する基板および部品のぞれぞれに付されたＩＣタグ１１−１，１１−２、１２−１，１２−２，１３−１，１３−２，１４−１，１４−２、並びに、読取端末４１より構成されている。ＩＣタグ１１−１乃至１４−１は、遊技機１−１の基板および部品に付されたものであり、ＩＣタグ１１−１乃至１４−１のＩＤデータ、および、これらの通信方式の情報が、遊技機１−１を識別する情報のグループとして管理される。また、ＩＣタグ１１−２乃至１４−２は、遊技機１−２の基板および部品に付されたものであり、ＩＣタグ１１−２乃至１４−２のＩＤデータ、および、これらの通信方式の情報が、遊技機１−２を識別する情報のグループとして管理される。さらに、遊技機１−３以降においても同様に構成されている。
【００２６】
尚、以降において、遊技機１乃至３、ＩＣタグ１１−１，１１−２、１２−１，１２−２，１３−１，１３−２，１４−１，１４−２のそれぞれについて、特に区別する必要がない場合、単に、遊技機１、およびＩＣタグ１１乃至１４と称するものとし、その他の構成についても同様に称するものとする。また、図１においては、遊技機１−１乃至１−３の３機の遊技機１が配置されている例について示されているが、遊技機１の数は、３機に限るものではなく、それ以外の数であってもよい。また、図１においては、各遊技機１について、ＩＣタグ１１乃至１４の４個のＩＣタグが設けられている例について示されているが、それ以外の数のＩＣタグが各遊技機１について設けられるようにしてもよい。
【００２７】
ＩＣタグ１１乃至１４は、それぞれ異なるＩＤを記憶しており、所定の周波数帯域の電波により、そのＩＤデータを発信する。ＩＣタグ１１乃至１４の通信に使用される周波数帯域は、例えば、13.56MHz、または2.45GHzのものがあり、また、それぞれ所定のプロトコルによりＩＤデータを発信する。そこで、以降においては、ＩＣタグそれぞれのＩＤデータの通信方式は、ＩＣタグ１１乃至１４の通信周波数およびプロトコルをまとめたものとして扱うものとする。したがって、ＩＣタグ１１乃至１４の通信周波数、およびプロトコルのいずれかが異なれば、異なる通信方式であるものとする。また、以降においては、これらのＩＣタグ１１乃至１４のそれぞれの通信方式について、通信方式Ａ，Ｂの２種類のみが存在する例について説明を進めるものとするが、当然のことながら、その他の数の通信方式が用いられるものであってもよい。
【００２８】
読取端末４１は、ＩＣタグ１１乃至１４に対して所定の角度、および距離内において、所定の通信方式によりＩＣタグ１１乃至１４と通信し、ＩＣタグ１１乃至１４のそれぞれに記憶されている、ＩＤデータを読み取る。読取端末４１は、読み取ったＩＤデータを、それぞれの通信方式の情報と共にＩＤのグループ管理情報として遊技機１毎に登録すると共に、登録された後は、読み取ったＩＤデータと通信方式の情報とからなるＩＤの読取管理情報が、登録されたＩＤの登録グループ管理情報に含まれているか否かを判定することにより、遊技機１毎に正規の基板、および部品から構成されているかを判定する。
【００２９】
より詳細には、図２，図３で示されるように、読取端末４１は、メインケース１１１、およびサブケース１１２、読取部１２１、基板１２２、および読取部１２３より構成されている。尚、図２は、上段が、メインケース１１１側からの外観斜視図であり、下段が、サブケース１１２側からの外観斜視図であり、図３は、分解斜視図である。
【００３０】
読取部１２１，１２３は、いずれもＩＣタグ１１乃至１４と所定の周波数帯域の電波により通信し、ＩＤデータを読み出す。尚、ＩＣタグ１１乃至１４は、例えば、Ｉ−ＣＯＤＥ ＳＬＩ（商標）などの場合、13.56MHzの周波数帯域の電波によりＩＤデータが通信され、また、ミューチップ（商標）などの場合、2.45GHzの周波数帯域の電波によりＩＤデータが通信される。このため、読取部１２１は、13.56MHzの周波数帯域の電波によりI-CODE SLI（商標）に対応したＩＣタグ１１乃至１４とＩＤデータを通信する。これに対して、読取部１２３は、2.45GHzの周波数帯域の電波によりミューチップ（商標）に対応したＩＣタグ１１乃至１４と登録データを通信する。
【００３１】
ここでは、読取部１２１は、ＩＣタグ１１乃至１４のうち、Ｉ−ＣＯＤＥ ＳＬＩ（商標）に対応するＩＣタグのＩＤデータを、対応する周波数帯域の電波で、対応するプロトコルにより読み出し、読取部１２３は、ＩＣタグ１１乃至１４のうち、ミューチップ（商標）に対応するＩＣタグのＩＤデータを、対応する周波数帯域の電波で、対応するプロトコルにより読み出すものとする。尚、以降においては、読取部１２１による、Ｉ−ＣＯＤＥ ＳＬＩ（商標）に対応するＩＣタグのＩＤデータを、対応する周波数帯域の電波で、対応するプロトコルにより読み出しにおける通信方式を通信方式Ａと称するものとし、読取部１２３による、ミューチップ（商標）に対応するＩＣタグのＩＤデータを、対応する周波数帯域の電波で、対応するプロトコルにより読み出す通信方式を通信方式Ｂと称するものとする。しかしながら、ＩＣタグに使用されるＩＤデータの周波数帯域とプロトコルとは、これに限るものではなく、その他のものであってもよい。
【００３２】
基板１２２は、読取ボタン１０１、登録ボタン１０２、およびモード切替スイッチ１０３の操作に基づいて、読取部１２１，１２３の読み取りを制御するCPU（Central Processing Unit）１３４、および登録グループ管理情報を記憶するメモリ１３５、並びに、動作状態や動作結果を示す３色LED（Light Emission Diode）１６１を備えている。
【００３３】
読取ボタン１０１は、読取部１２１，１２３によりＩＣタグのＩＤデータを読み出させるとき操作され、操作に応じた信号をCPU１３４に供給する。
【００３４】
登録ボタン１０２は、読取部１２１，１２３により読み取られたＩＣタグのＩＤデータを、遊技機１に対応付けて登録するとき操作され、操作に応じた信号をCPU１３４に供給する。
【００３５】
モード切替スイッチ１０３は、読取端末４１の動作モードを切り替えるとき操作され、操作された位置に応じた動作モードの信号をCPU１３４に供給する。動作モードには、読取部１２１，１２３により読み取られたＩＣタグ１１乃至１４のＩＤデータ、および通信方式の情報をＩＤの情報を、登録グループ管理情報として遊技機１に対応付けてメモリ１３５に登録させるための登録モード、更新モード、読取部１２１，１２３により読み取られたＩＣタグ１１乃至１４の全てのＩＤデータ、および通信方式の情報、すなわち全ての読取管理情報が、登録モード（または、更新モード）の動作によりメモリ１３５に登録された、いずれかの登録グループ管理情報と一致するか否かを判定する完全チェックモード、さらに、読取部１２１，１２３により読み取られたＩＣタグ１１乃至１４のいずれか１のＩＤデータ、および通信方式の情報からなる読取情報と、登録モードの動作によりメモリ１３５に登録されたＩＤと通信方式の情報からなる登録グループ管理情報のいずれかと一致するか否かを判定する簡易ＩＤチェックモードとが存在する。
【００３６】
メモリ１３５は、遊技機１に対応付けてＩＣタグ１１乃至１４のＩＤデータ、および通信方式の情報からなるＩＤの登録グループ管理情報を格納し、必要に応じてCPU１３４に供給する。
【００３７】
ＬＥＤ１６１は、CPU１３４に制御され、それぞれRGB（Red Green Blue）の３色の光を発し、それらの発光パターンによる読取端末４１の動作状況、および動作結果を表示する。
【００３８】
次に、図４の機能ブロック図を参照して、読取端末４１により実現される機能について説明する。尚、図２，図３を参照して説明した構成については、同一の符号を付しており、その説明は適宜省略するものとする。
【００３９】
読取端末４１は、読取部１２１，１２３、CPU１３４、メモリ１３５がそれぞれバスにより接続されており、さらに、操作部１５１、および表示部１５２を備えている。操作部１５１は、上述した読取ボタン１０１、登録ボタン１０２、およびモード切替スイッチ１０３より構成されている。また、表示部１５２は、３色LED１６１より構成されている。
【００４０】
CPU１３４は、モード認識部１７１、登録部１７２、読取制御部（通信方式Ａ）１７３、読取制御部（通信方式Ｂ）１７４、読取操作認識部１７５、登録操作認識部１７６、簡易判定部１７７、表示制御部１７８、第１バッファ１７９、第２バッファ１８０、第３バッファ１８１、ＩＤ比較部１８２、リード判定部１８３、２重登録判定部１８４、更新部１８５、完全判定部１８６、およびメモリ読出部１８７を備えている。
【００４１】
モード認識部１７１は、モード切替スイッチ１０３から供給されてくる信号を検出することにより、今現在の動作モードを認識する。
【００４２】
登録部１７２は、読取部１２１または１２３により読み取られたＩＤデータ、およびそれらの通信方式の情報からなるＩＤデータの読取グループ管理情報を、登録グループ管理情報としてメモリ１３５に登録すると共に、追加して更新する。
【００４３】
読取制御部１７３，１７４は、それぞれ通信方式Ａ，Ｂに対応する読取部１２１，１２３の動作を制御すると共に、ＩＤデータの読み取りと、その通信方式の情報の取得を制御する。
【００４４】
読取操作認識部１７５は、読取ボタン１０１から供給されてくる信号を検出することにより、今現在の読取ボタン１０１の動作状況を認識する。
【００４５】
登録操作認識部１７６は、登録ボタン１０２から供給されてくる信号を検出することにより、今現在の登録ボタン１０２の動作状況を認識する。
【００４６】
簡易判定部１７７は、読取部１２１または１２３により読み取られた１のＩＤデータ、およびその通信方式の情報が、メモリ１３５に登録されているか否かを判定することにより、簡易的に遊技機１が正規のものであるか否かを判定する。
【００４７】
表示制御部１７８は、表示部１５２の３色LED１６１の動作を制御し、各種の色を、様々な発光タイミングで発光させる。
【００４８】
第１バッファ１７９、第２バッファ１８０、および第３バッファ１８１は、それぞれ読取部１２１，１２３により読み取られたＩＤデータや通信方式の情報を一時的に記憶するためのバッファである。より具体的には、第１バッファ１７９には、読取部１２１，１２３により読み取られた、1個分のＩＣタグより読み出されたＩＤデータおよび通信方式の読取管理情報が記憶される。第２バッファ１８０には、第１バッファ１７９に順次読み込まれてくるＩＣタグのＩＤデータおよび通信方式の情報からなる読取管理情報が蓄積されることにより、遊技機１に含まれる全てのＩＣタグのＩＤデータおよび通信方式の情報が読取グループ管理情報として記憶される。第３バッファ１８１は、簡易チェックモード、または完全チェックモードにおいては、メモリ１３５に登録される登録グループ管理情報を記憶し、登録モードにおいては、さらに、第２バッファ１８０に記憶されている新たに登録しようとする読取グループ管理情報を加えることにより更新する。
【００４９】
ＩＤ比較部１８２は、読取部１２１，１２３により読み取られたＩＤデータや通信方式の情報からなるＩＤの読取グループ管理情報と、メモリ１３５に登録されているＩＤの登録グループ管理情報とを比較する。
【００５０】
リード判定部１８３は、読取部１２１，１２３が、読取制御部１７３，１７４により制御されて読み出された情報が適正なＩＤまたは通信方式の情報であるか否かを判定する。
【００５１】
２重登録判定部１８４は、ＩＤの登録グループ管理情報として登録しようとする情報に２重登録されているＩＤデータがあるか否かを判定する。
【００５２】
更新部１８５は、メモリ１３５に登録されているＩＤの登録グループ管理情報を更新する。
【００５３】
完全判定部１８６は、読取部１２１または１２３により読み取られたＩＤデータ、およびその通信方式の情報からなるＩＤのグループが、メモリ１３５に登録されているＩＤのグループであるか否かを判定することにより、遊技機１を構成する基板および部品のうちＩＣタグが付されているものが全て正規のものであるか否かを判定する。
【００５４】
メモリ読出部１８７は、メモリ１３５に記憶されている情報を読み出し、第３バッファ１８１に記憶させる。
【００５５】
次に、図５のフローチャートを参照して、図１の遊技機管理システムによる遊技機管理処理について説明する。
【００５６】
ステップＳ１において、モード認識部１７１は、モード切替スイッチ１０３の動作を認識し、動作モードが登録モードであるか否かを判定する。
【００５７】
ステップＳ１において、例えば、登録モードであると判定された場合、ステップＳ２において、グループ毎のＩＤ登録処理が実行される。
【００５８】
ここで、図６のフローチャートを参照して、グループ毎のＩＤ登録処理について説明する。
【００５９】
ステップＳ２１において、CPU１３４は、第２バッファ１８０を初期化し、全てのデータをクリアする（消去する）。
【００６０】
ステップＳ２２において、表示制御部１７８は、表示部１５２の３色LED１６１の発光を制御して、例えば、青色、赤色、黄色、緑色の順に繰り返し発光させることにより、読取部１２１，１２３によるＩＤの読み出し前の状態であることを表示させる。
【００６１】
ステップＳ２３において、読取操作認識部１７５は、読取ボタン１０１が操作されたか否かを判定し、例えば、ユーザが、読取端末４１を遊技機１のＩＣタグ１１乃至１４の付近においてかざし、読取ボタン１０１を操作した場合、処理は、ステップＳ２４に進む。
【００６２】
ステップＳ２４において、読取操作認識部１７５は、ＩＣタグのＩＤデータの読み取りが指示されたことを認識し、その旨を読取制御部１７３，１７４に通知すると共に、表示制御部１７８に通知する。表示制御部１７８は、この通知に基づいて、表示部１５２の３色LED１６１を制御して、読み取り中（リード中）であることを示すように表示させる。
【００６３】
ステップ２５において、読取制御部１７３，１７４は、この通知に基づいて、ＩＤリード処理を実行し、ＩＣタグ１１乃至１４のいずれかよりＩＤデータを読み取る。
【００６４】
ここで、図７のフローチャートを参照して、ＩＤリード処理について説明する。
【００６５】
ステップＳ５１において、読取制御部１７３は、読取部１２１を制御して、通信方式ＡによりＩＣタグ１１乃至１４のいずれかのＩＤデータの読み取りを試みる。
【００６６】
ステップＳ５２において、リード判定部１８３は、読取部１２１により読み取られた通信方式Ａにより読み取ったＩＤデータが正常なものであるか否かを判定する。ステップＳ５２において、例えば、読み取ったＩＤデータが正常なものである場合、読み取ったＩＤデータが通信方式Ａにより通信されるＩＣタグにより供給されてきたＩＤであるものとみなし、処理は、ステップＳ５３に進む。
【００６７】
ステップＳ５３において、CPU１３４は、第１バッファ１７９を初期化し、全てのデータをクリア（消去）する。
【００６８】
ステップＳ５４において、CPU１３４は、読取部１２１により読み取られたＩＤのデータに対応する通信方式を、例えば、図８で示されるような形式で第１バッファ１７９に登録させる。したがって、ここでは、通信方式Ａの情報が登録される。図８においては、読み取られたＩＤデータが、それらを識別する「−ｎ」が付されたＩＤ−ｎとして表記されており、さらに、対応する情報として通信方式の情報が登録されている。
【００６９】
ステップＳ５５において、CPU１３４は、読取部１２１により読み取られたＩＤのデータそのものを、例えば、図８で示されるように、第１バッファ１７９に登録させる。すなわち、図８で示されるように、ＩＤ−ｎに対応付けて、通信方式の情報が登録されている。したがって、この例においては、読み取られたＩＤ−ｎに対応付けて、通信方式Ａが登録されることになる。
【００７０】
ステップＳ５６において、リード判定部１８３は、正常にＩＤデータがリードされて、第１バッファ１７９に登録されたことを認識し、処理は、終了する。
【００７１】
一方、ステップＳ５２において、リード判定部１８３は、読取部１２１により読み取られた通信方式Ａにより読み取ったＩＤが正常なものではないと判定した場合、通信方式が異なっていたものとみなし、ステップＳ５７において、読取制御部１７４に通信方式ＢでのＩＤの読み取りを指示する。この指示により、読取制御部１７４は、読取部１２３を制御して、通信方式ＢによりＩＤデータを読み取らせる。
【００７２】
ステップＳ５８において、リード判定部１８３は、読取部１２３により読み取られた通信方式Ｂにより読み取ったＩＤデータが正常なものであるか否かを判定する。例えば、読み取ったＩＤデータが正常なものである場合、読み取ったＩＤデータが通信方式Ｂにより通信されるＩＣタグにより供給されてきたＩＤデータであるものとみなし、処理は、ステップＳ５９に進む。
【００７３】
ステップＳ５９において、CPU１３４は、第１バッファ１７９を初期化し、全てのデータをクリア（消去）する。
【００７４】
ステップＳ６０において、CPU１３４は、読取部１２３により読み取られたＩＤのデータに対応する通信方式を、例えば、図８で示されるような形式で第１バッファ１７９に登録させ、処理は、ステップＳ５５に進む。したがって、ここでは、ＩＤ−ｎのデータに対応付けて、通信方式Ｂの情報が登録される。
【００７５】
さらに、ステップＳ５８において、リード判定部１８３は、読取部１２１により読み取られた通信方式Ｂにより読み取ったＩＤが正常なものではないと判定した場合、通信方式Ａ，Ｂのいずれの方式でも読み取ることができなＩＤデータであるものとみなし、ステップＳ６１において、リード判定部１８３は、正常にＩＤがリードされず、第１バッファ１７９に登録されなかったことを認識し、処理は、終了する。
【００７６】
すなわち、ＩＤリード処理により通信方式ＡまたはＢによりＩＤデータが読み出された場合、図８で示されるように、第１バッファ１７９に読み出されたＩＤに対応付けて、通信方式の情報が登録される。
【００７７】
ここで、図６のフローチャートの説明に戻る。
【００７８】
ステップＳ２５において、ＩＤリード処理が終了すると、ステップＳ２６において、リード判定部１８３は、ＩＤのリードが正常に完了したか否かを判定する。ステップＳ２６において、例えば、上述した図７のフローチャートにおけるステップＳ６１の処理により、正常にＩＤデータが第１バッファ１７９に登録されていないような場合、ＩＤリードに異常が発生していたものとみなし、ステップＳ２７において、表示制御部１７８は、表示部１５２の３色LED１６１の発光制御し、例えば、赤色の光を発光するようにし、ＩＤデータの読み取り（ＩＤデータのリード）に異常が発生したことを表示すると共に、処理は、ステップＳ２２に戻る。すなわち、ＩＤリードにおいて、正常にＩＤデータが読み出せなかったので、異常が発生したことを表示部１５２により表示すると共に、再度、ＩＤデータの読み出しを行うため、リード前の状態に戻る。
【００７９】
一方、ステップＳ２６において、例えば、上述したステップＳ５６の処理で示されるように、ＩＤデータの読み出しが正常に完了していた場合、処理は、ステップＳ２８に進む。
【００８０】
ステップＳ２８において、ＩＤ２重登録チェック処理が実行されて、同一のＩＤデータが２重に登録されているか否かが判定される。
【００８１】
ここで、図９のフローチャートを参照して、ＩＤ２重登録チェック処理について説明する。
【００８２】
ステップＳ８１において、CPU１３４は、第２バッファ１８０に記憶されている１個の読出グループ管理情報である、グループＸに含まれるＩＤデータの件数ｐを読み出す。すなわち、第２バッファ１８０には、新規に作成しようとするＩＤデータの読出グループ管理情報が、例えば、図１０で示されるように登録されている。図１０において、上から、グループＸのＩＤデータのリード件数（グループＸＩＤリード件数）、通信方式ＡのＩＤデータのリードの件数（通信方式Ａリード件数）、通信方式ＢのＩＤデータのリード件数（通信方式Ｂリード件数）、さらに、順次ＩＤ−１，ＩＤ−２，ＩＤ−３・・・ＩＤ−ｎで示されるＩＤデータと、そのＩＤデータを読み取る際の通信方式が対応付けて記録されている。ただし、最初の処理においては、グループＸのＩＤデータとして読み込まれている件数（グループＸＩＤリード件数）、通信方式ＡのＩＤデータとして読み込まれている件数（通信方式Ａリード件数）、および通信方式ＢのＩＤデータの読み込まれている件数（通信方式Ｂリード件数）はいずれも０であり、それ以下のＩＤデータの情報は存在しないものとなる。尚、図１で示される遊技機１の場合、ＩＣタグ１１乃至１４の４箇所からＩＤデータが読み出されることになるので、それら全てが読み取られた場合、ＩＣタグ１１乃至１４に対応するＩＤデータＩＤ−１乃至ＩＤ−４が登録されることになり、それぞれ対応する通信方式の情報が登録される。
【００８３】
ステップＳ８２において、CPU１３４は、図示せぬＩＤデータの数を管理するためのカウンタｑを１に設定する。
【００８４】
ステップＳ８３において、ＩＤ比較部１８２は、カウンタｑが第２バッファ１８０に登録されているグループＸのＩＤデータとして読み取られた件数ｐよりも小さいまたは一致するか否かを判定し、小さいまたは一致する場合、処理は、ステップＳ８４に進む。
【００８５】
ステップＳ８４において、ＩＤ比較部１８２は、第１バッファ１７９内に登録されているＩＤと、第２バッファ１８０に登録されているＩＤ−ｑとを比較する。
【００８６】
ステップＳ８５において、ＩＤ比較部１８２は、第１バッファ１７９内に登録されているＩＤと、第２バッファ１８０に登録されているＩＤ−ｑとが不一致であるか否かを判定する。ステップＳ８５において、不一致である場合、ステップＳ８６において、ＩＤ比較部１８２は、カウンタｑを１インクリメントして、処理は、ステップＳ８３に戻る。
【００８７】
すなわち、カウンタｑで識別される第２バッファ１８０に登録されている全てのＩＤデータについて、第１バッファ１７９に登録されている、今読み取られたＩＤと不一致であるか否かが繰り返し判定される。
【００８８】
例えば、ステップＳ８５において、不一致ではない、すなわち、一致したと判定された場合、既に第２バッファ１８０に登録済みであり、２重登録であるとみなされるので、処理は、ステップＳ８８に進み、２重登録判定部１８４は、ＩＤが２重登録であったことを認識し、処理は、終了する。
【００８９】
一方、ステップＳ８３において、カウンタｑが第２バッファ１８０に登録されているグループＸのＩＤとしてリードされた件数ｐよりも小さくない場合、すなわち、第２バッファ１８０に登録されている全てのＩＤについて、今読み取られたＩＤが同一ではなかったと判定された場合、処理は、ステップＳ８７に進み、２重登録判定部１８４は、ＩＤが２重登録ではなかったことを認識し、処理は終了する。
【００９０】
すなわち、今読み取られた第１バッファ１７９に登録されているＩＤデータと、第２バッファ１８０に登録されている、読取グループ管理情報として登録しようとしているグループＸの全てのＩＤとの比較により、全てが不一致であれば、２重登録がないものとみなされる。
【００９１】
ここで、図６のフローチャートの説明に戻る。
【００９２】
ステップＳ２８において、ＩＤ２重登録チェック処理が終了すると、ステップＳ２９において、２重登録判定部１８４は、ＩＤの２重登録であったか否かを判定する。ステップＳ２８において、例えば、上述したステップＳ８７の処理により、２重登録がなかったことが認識されていた場合、ステップＳ３０において、２重登録判定部１８４は、表示制御部１７８に対して２重登録がなかったことを通知する。この処理により、表示制御部１７８は、表示部１５２の３色LED１６１の発光を制御し、例えば、青色の光を発光させて、２重登録がないことを表示させる。
【００９３】
そして、ステップＳ３１において、更新部１８５は、ＩＤリードデータ更新処理を実行し、第２バッファ１８０の、これから登録しようとするグループＸのＩＤデータを更新する。
【００９４】
ここで、図１１のフローチャートを参照して、ＩＤリードデータ更新処理について説明する。
【００９５】
ステップＳ１０１において、更新部１８５は、第２バッファ１８０に登録されている読取グループ管理情報である、グループＸのＩＤリード件数を１インクリメントする。
【００９６】
ステップＳ１０２において、更新部１８５は、第１バッファ１７９に登録されている、読取部１２１または１２３により読み取られたＩＤデータの通信方式の情報を読み出す。
【００９７】
ステップＳ１０３において、更新部１８５は、通信方式が通信方式Ａであるか否かを判定する。ステップＳ１０３において、例えば、通信方式が通信方式Ａであった場合、ステップＳ１０４において、更新部１８５は、第２バッファ１８０における通信方式Ａリード件数を１インクリメントする。
【００９８】
ステップＳ１０６において、更新部１８５は、第１バッファ１７９に登録されているＩＤデータと通信方式の情報からなる読取管理情報を第２バッファ１８０に追加して、読取グループ管理情報を更新する。
【００９９】
一方、ステップＳ１０３において、通信方式が通信方式Ｂであった場合、ステップＳ１０５において、第２バッファにおける通信方式Ｂのリード件数を１インクリメントし、処理は、ステップＳ１０６に進む。
【０１００】
以上の処理により、今読み取られた第１バッファ１７９に登録されているＩＤおよび通信方式の情報が、第２バッファ１８０に登録されている読取グループ管理情報である、グループＸに追加されて更新される。
【０１０１】
ここで、図６のフローチャートの説明に戻る。
【０１０２】
ステップＳ３１において、ＩＤリードデータ更新処理が実行されると、処理は、ステップＳ２３に戻る。
【０１０３】
一方、ステップＳ２９において、例えば、ステップＳ８８の処理により２重登録チェックが正常に完了せず、２重登録であると判定された場合、ステップＳ３２において、２重登録判定部１８４は、表示制御部１７８に対して２重登録がであったことを通知する。この処理により、表示制御部１７８は、表示部１５２の３色LED１６１の発光を制御し、例えば、黄色の光を発光させて、２重登録が発生していることを表示させる。そして、処理は、ステップＳ２３に戻る。
【０１０４】
以上の処理により、ステップＳ２３乃至Ｓ３２の処理が繰り返されることにより、繰り返し読取ボタン１０１が押下されると、繰り返しＩＤデータ読み取られ、２重登録が発生していなければ、読み取られたＩＤデータ、および通信方式の情報が、読取グループ管理情報であるグループＸの情報として登録されて、更新される。結果として、ユーザは、遊技機１のどの位置に、どの種類のＩＣタグが設けられているかを意識することなく、読取端末４１を遊技機１にかざして、読取ボタン１０１を繰り返し操作しつつ、順次登録ボタン１０２を操作することで、２重に登録されることなく、繰り返し複数のＩＣタグ１１乃至１４より読み取られたＩＤデータと通信方式の情報が、順次蓄積されて、第２バッファ１８０に読取グループ管理情報が生成されていく。
【０１０５】
一方、ステップＳ２３において、読取ボタン１０１が操作されなかったと判定された場合、処理は、ステップＳ３３に進む。
【０１０６】
ステップＳ３３において、登録操作確認部１７６は、登録ボタン１０２が操作されたか否かを判定する。例えば、上述したステップＳ２３乃至Ｓ３２の処理が繰り返されて、読取端末４１によりＩＤリード処理等によりＩＤが読み取られた後、ユーザが、登録ボタン１０２を操作されると、処理は、ステップＳ３４に進む。
【０１０７】
ステップＳ３４において、登録操作認識部１７６は、読み取られた複数のＩＣタグ１１乃至１４のＩＤデータおよび通信方式の情報からなる読取グループ管理情報の登録が指示されたことを認識し、その旨を登録部１７２に通知すると共に、表示制御部１７８に通知する。表示制御部１７８は、この通知に基づいて、表示部１５２の３色LED１６１を制御して、例えば、登録ボタン１０２が押下されていることを示すように表示させる。
【０１０８】
ステップＳ３５において、登録部１７２は、ＩＤ登録処理を実行し、読取部１２１また１２３により読み取られたＩＤデータをメモリ１３５に登録する。
【０１０９】
ここで、図１２のフローチャートを参照して、ＩＤ登録処理について説明する。
【０１１０】
ステップＳ１２１において、登録部１７２は、第２バッファ１８０に登録されている、読取部１２１、または１２３により読み取られた読取グループ管理情報に少なくとも１個以上ＩＤデータが存在するか否かを判定する。ステップＳ１２１において、例えば、少なくとも１個以上ＩＤデータが存在すると判定された場合、ステップＳ１２２において、登録部１７２は、第２バッファ１８０に登録された、読取グループ管理情報である、新たなグループＸの情報を、例えば、図１３で示されるように、メモリ１３５に登録されている登録グループ管理情報に追加して記憶させる。
【０１１１】
すなわち、図１３においては、左から順にグループ１，２，３・・・ｍのＩＤデータの登録グループ管理情報が登録され、最も右側に、第２バッファ１８０に記憶されていたグループＸの情報が最新の登録グループ管理情報として登録されている。この各登録グループ管理情報が、各遊技台１毎のＩＤデータの登録グループ管理情報を構成している。換言すれば、このＩＤ−１乃至ＩＤ−ｎからなるＩＤデータの組み合わせからなる登録グループ管理情報が、遊技台１を識別するＩＤであるともいえる。
【０１１２】
ステップＳ１２３において、登録部１７２は、メモリ１３５に記憶されている、グループ総数、すなわち、登録グループ管理情報の総数の情報を１インクリメントする。すなわち、図１３の左下で示されるように、メモリ１３５には、グループ総数の情報も記憶されている。
【０１１３】
ステップＳ１２４において、登録部１７２は、メモリ１３５に第２バッファ１８０に格納されていた新たに登録される読取グループ管理情報であるグループＸのＩＤデータおよび通信方式の情報からなるグループが、メモリ１３５に正常に登録グループ管理情報として登録されたか否かを判定する。ステップＳ１２４において、正常に登録されていると判定された場合、ステップＳ１２５において、登録部１７２は、ＩＤ登録処理が正常に完了したことを認識し、処理を終了する。
【０１１４】
一方、ステップＳ１２４において、正常に登録されていないと判定された場合、または、ステップＳ１２１において、１個も存在しないと判定された場合、ステップＳ１２６において、登録部１７２は、ＩＤ登録処理が異常な状態で完了したことを認識して、処理を終了する。
【０１１５】
すなわち、以上の処理においては、第２バッファ１８０に読取グループ管理情報として登録された遊技機１の全てのＩＣタグより読み出されたＩＤデータ、および通信方式の情報のグループが、グループＸの情報として、メモリ１３５の登録グループ管理情報に登録される。
【０１１６】
ここで、図６のフローチャートの説明に戻る。
【０１１７】
ステップＳ３５において、ＩＤ登録処理が終了すると、ステップＳ３６において、登録部１７２は、ＩＤ登録処理が正常に完了したか否かを判定する。ステップＳ３５において、例えば、ステップＳ１２５の処理により正常完了が認識されていた場合、ステップＳ３７において、登録部１７２は、ＩＤ登録処理が正常完了していることを表示制御部１７８に通知する。表示制御部１７８は、この通知に基づいて、表示部１５２の３色LED１６１を制御して、例えば、青色の光を発光させることにより、ＩＤの登録処理が完了されたことを示すように表示させる。そして、処理は、ステップＳ２１に戻る。
【０１１８】
一方、ステップＳ３６において、例えば、ステップＳ１２６の処理により、ＩＤ登録処理が異常な状態で完了していることが認識されている場合、ステップＳ４０において、登録部１７２は、ＩＤ登録処理が異常な状態で完了していることを表示制御部１７８に通知する。表示制御部１７８は、この通知に基づいて、表示部１５２の３色LED１６１を制御して、例えば、赤色の光を発光させることにより、ＩＤの登録処理が異常な状態で完了されたことを示すように表示させる。そして、処理は、ステップＳ２１に戻る。
【０１１９】
すなわち、読み取られたＩＤデータが、メモリ１３５に複数のＩＤデータおよび通信方式の情報からなる登録グループ管理情報として登録されたか否かを、ユーザに認識させることが可能となる。
【０１２０】
また、ステップＳ３３において、登録ボタン１０２が操作されていないと判定された場合、ステップＳ３８において、モード認識部１７１は、モード切替スイッチ１０３が登録モードから切り替えられたか否かを判定する。ステップＳ３８において、切り替えられていないと判定された場合、処理は、ステップＳ２３に戻る。
【０１２１】
一方、ステップＳ３８において、モード認識部１７１は、モード切替スイッチ１０３が操作されて登録モードから切り替えられた場合、モード切替スイッチ１０３が操作された状態に対応して、簡易ＩＤチェックモードまたは完全チェックモードに切り替え、登録モードによるグループ毎のＩＤ登録処理が終了する。
【０１２２】
以上の処理により、ユーザは、遊技機１のどの位置に、どの種類のＩＣタグが設けられているかを意識することなく、読取端末４１を遊技機１にかざして、読取ボタン１０１を繰り返し操作しつつ、順次登録ボタン１０２を操作することで、２重に登録されることなく、繰り返し複数のＩＣタグ１１乃至１４より読み取られたＩＤデータと通信方式の情報が、順次蓄積されて、第２バッファ１８０に読取グループ管理情報が生成されていく。さらに、第２バッファ１８０に生成された読取グループ管理情報をメモリ１３５に登録することにより、順次登録グループ管理情報を生成することが可能となるので、遊技機１のそれぞれの登録グループ管理情報を容易にメモリ１３５に登録させることが可能となる。
【０１２３】
ここで、図５のフローチャートの説明に戻る。
【０１２４】
ステップＳ２において、登録処理が終了した場合、処理は、ステップＳ１に戻る。
【０１２５】
一方、ステップＳ１において、登録モードではない場合、ステップＳ３において、モード認識部１７１は、モード切替スイッチ１０３の動作を認識し、動作モードが更新モードであるか否かを判定する。ステップＳ３において、例えば、更新モードではない、すなわち、動作モードが簡易ＩＤチェックモードであるか、または、完全チェックモードのいずれかとなっている場合、処理は、ステップＳ４に進む。
【０１２６】
ステップＳ３において、ＩＤチェック処理が実行される。
【０１２７】
ここで、図１４のフローチャートを参照して、ＩＤチェック処理について説明する。
【０１２８】
ステップＳ１４１において、表示制御部１７８は、表示部１５２の３色LED１６１の発光を制御して、例えば、赤色・緑色・青色の全色を比較的長い時間間隔で発光させながら点滅させることにより、メモリ１３５に記憶されているＩＤデータのグループの情報の読み出し前の状態であることを表示させる。
【０１２９】
ステップＳ１４２において、メモリ読出部１８７は、メモリリード処理を実行し、メモリ１３５に記憶されているＩＤデータのグループ毎の情報を全て読み出し、第３バッファ１８１に記憶させる。
【０１３０】
ここで、図１５のフローチャートを参照して、メモリリード処理について説明する。
【０１３１】
ステップＳ１８１において、メモリ読出部１８７は、メモリ１３５に記憶されている全ての登録グループ管理情報を読み出す。
【０１３２】
ステップＳ１８２において、メモリ読出部１８７は、メモリ１３５より全ての登録グループ管理情報が正常に読み出せたか否かを判定し、正常に読み出せた場合、処理は、ステップＳ１８３に進む。
【０１３３】
ステップＳ１８３において、メモリ読出部１８７は、第３バッファ１８１を初期化して、それまでに記憶されている情報を全て消去（クリア）する。
【０１３４】
ステップＳ１８４において、メモリ読出部１８７は、メモリ１３５より読み出した全ての登録グループ管理情報を第３バッファ１８１に複写（コピー）すると共に、例えば、図１６で示されるように、各ＩＤと通信方式の情報に対応付けて、チェックフラグを設定する。すなわち、図１３で示されるメモリ１３５に記憶されている登録グループ管理情報に対して、第３バッファ１８１に記憶されている登録グループ管理情報には、図１６で示されるように、対応する位置にチェックフラグが設けられている。
【０１３５】
ステップＳ１８５において、メモリ読出部１８７は、第３バッファ１８１にメモリ１３５に登録された登録グループ管理情報が正常に読み出されることにより、メモリリード処理が正常に完了したことを認識し、処理は、終了する。
【０１３６】
一方、ステップＳ１８２において、メモリ１３５から登録グループ管理情報が読み出せなかった場合、ステップＳ１８６において、メモリ読出部１８７は、メモリリード処理が異常な状態で完了したことを認識し、処理は、終了する。
【０１３７】
このように、メモリリード処理により、メモリ１３５に上述した処理により登録された登録グループ管理情報が読み出され、さらに、チェックフラグが設定された状態で第３バッファ１８１にコピーされる。
【０１３８】
ここで、図１４のフローチャートの説明に戻る。
【０１３９】
ステップＳ１４３において、メモリ読出部１８７は、メモリリード処理が正常であるか否かを判定し、例えば、ステップＳ１８６の処理により、メモリリード処理が異常な状態で終了したと判定された場合、処理は、ステップＳ１４２に戻る。すなわち、正常にメモリリード処理が完了するまで、ステップＳ１８２，Ｓ１８３の処理が繰り返される。
【０１４０】
一方、ステップＳ１４３において、ステップＳ１８５の処理により、正常に終了したと判定された場合、処理は、ステップＳ１４４に進む。
【０１４１】
ステップＳ１４４において、完全判定部１８６は、ＩＤチェック回数を示すカウンタＣ（以下、ＩＤチェック回数Ｃとも称する）を初期化（クリア）し、０に設定する。
【０１４２】
ステップＳ１４５において、表示制御部１７８は、表示部１５２の３色LED１６１の発光を制御して、例えば、白色を比較的短い時間間隔で発光させながら点滅させることにより、メモリ１３５に記憶されているＩＤデータのグループの情報の読み出し後の状態であることを表示させる。
【０１４３】
ステップＳ１４６において、読取操作認識部１７５は、読取ボタン１０１が操作されたか否かを判定し、例えば、ユーザが、読取端末４１を遊技機１のＩＣタグ１１乃至１４の付近においてかざし、読取ボタン１０１を操作した場合、処理は、ステップＳ１４７に進む。
【０１４４】
ステップＳ１４７において、読取操作認識部１７５は、ＩＣタグのＩＤデータの読み取りが指示されたことを認識し、その旨を読取制御部１７３，１７４に通知すると共に、表示制御部１７８に通知する。表示制御部１７８は、この通知に基づいて、表示部１５２の３色LED１６１を制御して、例えば、読み取り中であることを示すように表示させる。
【０１４５】
ステップＳ１４８において、読取制御部１７３，１７４は、この通知に基づいて、ＩＤリード処理を実行し、ＩＤデータを読み取り、通信方式の情報と対応付けて第１バッファ１７９に記憶させる。尚、ＩＤリード処理については、図７のフローチャートを参照して説明した処理と同様であるので、その説明は省略する。
【０１４６】
ステップＳ１４９において、リード判定部１８３は、ＩＤデータのリードが正常に完了したか否かを判定し、例えば、異常な状態で完了したと判定された場合、処理は、ステップＳ１５４に進む。
【０１４７】
ステップＳ１５４において、表示制御部１７８は、表示部１５２の３色LED１６１の発光を制御して、例えば、赤色を発光させることにより、ＩＣタグ１１乃至１４からのＩＤの読み出しができず、異常な状態となっていることを表示させ、処理は、ステップＳ１４６に戻る。
【０１４８】
一方、ステップＳ１４９において、ＩＤリード処理が正常に完了したと判定された場合、ステップＳ１５０において、モード認識部１７１は、動作モードが簡易ＩＤチェックモードであるか否かを判定する。ステップＳ１５０において、例えば、簡易ＩＤチェックモードであると判定された場合、処理は、ステップＳ１５１に進む。
【０１４９】
ステップＳ１５１において、簡易判定部１７７は、簡易ＩＤチェック処理を実行し、読み取ったＩＤデータがメモリ１３５に登録されているＩＤデータであるか否かが判定される。
【０１５０】
ここで、図１７のフローチャートを参照して、簡易ＩＤチェック処理について説明する。
【０１５１】
ステップＳ２０１において、簡易判定部１７７は、第３バッファ１８１に登録されているグループ数Ｇを読み出す。すなわち、例えば、図１６で示されるように、第３バッファ１８１に登録グループ管理情報が登録されていた場合、登録されている登録グループ管理情報の数であるグループ数Ｇは１乃至Ｘの総数がグループ数Ｇとして読み出される。
【０１５２】
ステップＳ２０２において、簡易判定部１７７は、処理対象となるグループ数をカウントするカウンタｇを初期化して、１に設定する。
【０１５３】
ステップＳ２０３において、簡易判定部１７７は、カウンタｇがグループ数Ｇ＋１と一致するか否かを判定し、例えば、一致しないと判定した場合、処理は、ステップＳ２０４に進む。
【０１５４】
ステップＳ２０４において、簡易判定部１７７は、第３バッファ１８１内のグループｇに対応するＩＤの登録件数ｕを読み出す。すなわち、例えば、図１６においては、ｇが１の場合、グループ１に対応する登録グループ管理情報のＩＤデータの登録件数は、ＩＤ−１乃至ＩＤ−ｎの総数となる。
【０１５５】
ステップＳ２０５において、簡易判定部１７７は、処理対象となるＩＤを識別するカウンタｖを初期化して１に設定する。
【０１５６】
ステップＳ２０６において、簡易判定部１７７は、カウンタｖがグループｇに対応するＩＤの登録件数ｕに１を加算した値とが一致するか否かを判定する。ステップＳ２０６において、例えば、カウンタｖがｕ＋１ではない場合、処理は、ステップＳ２０７に進む。
【０１５７】
ステップＳ２０７において、簡易判定部１７７は、第１バッファ１７９に読取部１２１または１２３により読み取られたＩＤデータと、グループｇにおけるカウンタｖで識別されるＩＤ−ｖのデータとを比較する。
【０１５８】
ステップＳ２０８において、簡易判定部１７７は、第１バッファ１７９に読取部１２１または１２３により読み取られたＩＤデータと、グループｇにおけるカウンタｖで識別されるＩＤ−ｖのデータとが不一致であるか否かを判定する。ステップＳ２０８において、不一致である場合、ステップＳ２０９において、簡易判定部１７７は、カウンタｖを１インクリメントし、処理は、ステップＳ２０６に戻る。すなわち、読み取られたＩＤデータと登録されたＩＤ−ｖデータとが一致するか、または、グループｇにおける全てのＩＤ−ｕが読み取られたＩＤデータと比較されるまで、ステップＳ２０６乃至Ｓ２０９の処理が繰り返される。
【０１５９】
そして、例えば、ステップＳ２０６において、カウンタｖがｕ＋１であると判定された場合、すなわち、グループｇに登録されている全てのＩＤについて不一致であると判定された場合、ステップＳ２１０において、簡易判定部１７７は、グループを識別するカウンタｇを１インクリメントし、処理は、ステップＳ２０３に戻る。すなわち、読み取られたＩＤデータが、順次カウンタｇで識別されるグループｇに登録されているＩＤ−ｖと順次比較され、読み取られたＩＤと一致するか、または、第３バッファ１８１に記憶されている全てのグループの全てのＩＤと比較されるまで、ステップＳ２０３乃至Ｓ２０９の処理が繰り返される。
【０１６０】
そして、例えば、ステップＳ２０８において、不一致ではなく、一致したと判定された場合、ステップＳ２１１において、簡易判定部１７７は、第１バッファ１７９に登録されている、読取部１２１または１２３により読み取られたＩＤに対応する通信方式と、第３バッファ１８１にメモリ１３５より読み出された各グループのＩＤのうち、読み取られたＩＤと一致するＩＤに対応付けて登録されている通信方式とを比較する。
【０１６１】
ステップＳ２１２において、簡易判定部１７７は、第１バッファ１７９に登録されている、読取部１２１または１２３により読み取られたＩＤに対応する通信方式と、第３バッファ１８１にメモリ１３５より読み出された各グループのＩＤのうち、読み取られたＩＤと一致するＩＤに対応付けて登録されている通信方式とが一致するか否かを判定する。
【０１６２】
ステップＳ２１２において、例えば、第１バッファ１７９に登録されている、読取部１２１または１２３により読み取られたＩＤに対応する通信方式と、第３バッファ１８１にメモリ１３５より読み出された各グループのＩＤのうち、読み取られたＩＤと一致するＩＤに対応付けて登録されている通信方式とが一致する場合、ステップＳ２１３において、簡易判定部１７７は、ＩＤチェック処理が正常に完了したことを認識して処理を終了する。
【０１６３】
また、ステップＳ２１２において、ＩＤ同士が一致したが対応する通信方式が一致しなかった場合、処理は、ステップＳ２０９に戻る。すなわち、読み取られたＩＤデータが、順次カウンタｇで識別されるグループｇに登録されているＩＤ−ｖと順次比較され、読み取られたＩＤと一致し、かつ、通信方式が一致するか、または、第３バッファ１８１に記憶されている全てのグループの全てのＩＤと比較されるまで、ステップＳ２０３乃至Ｓ２１２の処理が繰り返される。
【０１６４】
一方、ステップＳ２０３において、カウンタｇがグループ数Ｇ＋１と一致したと判定され、第３バッファ１８１に登録されている全ての登録グループ管理情報の全ＩＤデータと、第１バッファ１７９に登録されている読取部１２１または１２３により読み出されたＩＤとが不一致であったと判定された場合、ステップＳ２１４において、簡易判定部１７７は、読取部１２１または１２３により読み取られたＩＤデータが登録グループ管理情報として登録されたＩＤデータではないものとみなし、ＩＤチェック処理が異常な状態で完了したことを認識し、処理を終了する。
【０１６５】
すなわち、読み取られた１個のＩＤデータと、第３バッファ１８１に記憶されている全ての登録グループ管理情報の、全てのＩＤデータとを比較し、一致するものがあるとき、正規なＩＤデータであるものとみなし、一致するものがないとき、正規なＩＤデータではないものとみなすことにより、ＩＤデータ単体の、すなわち、１個のＩＣタグのＩＤデータについて正規であるか否かを判定することで、簡易的にその遊技機１が正規なものであるか否かを判定することが可能となる。
【０１６６】
ここで、図１４のフローチャートの説明に戻る。
【０１６７】
ステップＳ１５１において、ＩＤチェック処理がなされたのち、ステップＳ１５２において、簡易判定部１７７は、ＩＤチェック処理が正常に完了したか否かを判定し、例えば、ステップＳ２１３の処理により、正常に完了したものと判定された場合、処理は、ステップＳ１５３に進む。
【０１６８】
ステップＳ１５３において、表示制御部１７８は、表示部１５２の３色LED１６１の発光を制御して、例えば、黄色を発光させることにより、簡易ＩＤチェック処理が正常に完了し、ＩＣタグ１１乃至１４からのいずれか読み出されたＩＤが正規のＩＤであったことを表示させ、処理は、ステップＳ１４５に戻る。
【０１６９】
一方、ステップＳ１５１において、例えば、ステップＳ２１４の処理により、異常な状態で完了したものと判定された場合、処理は、ステップＳ１５９に進む。
【０１７０】
ステップＳ１５９において、表示制御部１７８は、表示部１５２の３色LED１６１の発光を制御して、例えば、緑色を発光させることにより、簡易ＩＤチェック処理が異常な状態で完了し、ＩＣタグ１１乃至１４からのいずれか読み出されたＩＤが正規のＩＤではないことを表示させ、処理は、ステップＳ１４６に戻る。
【０１７１】
すなわち、簡易ＩＤチェックモードの場合、ステップＳ１４５乃至Ｓ１５３，Ｓ１５９の処理が繰り返されて、順次ＩＤが個別に正規なものであるか否かが判定されることになる。結果として、遊技機１について、設けられている全てのＩＣタグ１１乃至１４の全てについて個別に正規なものであるか否かが判定される。ただし、それらのＩＤが、異なるグループの情報であっても正規なものであるものとして判定され得るものであるため、簡易的なチェックであるものとして扱われる。
【０１７２】
また、ステップＳ１５０において、簡易ＩＤチェックモードではない、すなわち、完全ＩＤチェックモードであると判定された場合、完全判定部１８６が完全ＩＤチェック処理を実行し、遊技機１毎に読み取られた全ての読取管理情報が、第３バッファ１８１に記憶されているいずれかの登録グループ管理情報の全てのＩＤデータと一致するか否かにより遊技機１のＩＣタグ１１乃至１４の全てが正規なものであるか否かを判定する。
【０１７３】
ここで、図１８のフローチャートを参照して、完全ＩＤチェック処理について説明する。
【０１７４】
ステップＳ２４１において、完全判定部１８６は、ＩＤのチェック回数をカウントするカウンタＣが０であるか否かを判定する。ステップＳ２４１において、例えば、カウンタＣが０である、すなわち、最初のＩＤチェックである場合、処理は、ステップＳ２４２に進む。
【０１７５】
ステップＳ２４２において、完全判定部１８６は、第３バッファ１８１に登録されている登録グループ管理情報の数であるグループ数Ｇを読み出す。
【０１７６】
ステップＳ２４３において、完全判定部１８６は、処理対象となるグループを識別するカウンタｇを初期化して、１に設定する。
【０１７７】
ステップＳ２４４において、完全判定部１８６は、カウンタｇがグループ数Ｇ＋１と一致するか否かを判定し、例えば、一致しないと判定した場合、処理は、ステップＳ２４５に進む。
【０１７８】
ステップＳ２４５において、完全判定部１８６は、第３バッファ１８１内のグループｇに対応する登録グループ管理情報のＩＤデータの登録件数ｕを読み出す。
【０１７９】
ステップＳ２４６において、完全判定部１８６は、処理対象となるＩＤデータを識別するカウンタｖを初期化して１に設定する。
【０１８０】
ステップＳ２４７において、完全判定部１８６は、カウンタｖがグループｇに対応するＩＤデータの登録件数ｕに１を加算した値と一致するか否かを判定する。
【０１８１】
ステップＳ２４８において、完全判定部１８６は、第１バッファ１７９に読取部１２１または１２３により読み取られたＩＤデータと、グループｇにおけるカウンタｖで識別されるＩＤ−ｖデータとを比較する。
【０１８２】
ステップＳ２４９において、完全判定部１８６は、第１バッファ１７９に読取部１２１または１２３により読み取られたＩＤデータと、グループｇにおけるカウンタｖで識別されるＩＤ−ｖデータとが不一致であるか否かを判定する。ステップＳ２４９において、不一致である場合、ステップＳ２５０において、完全判定部１８６は、カウンタｖを１インクリメントし、処理は、ステップＳ２４７に戻る。
【０１８３】
そして、例えば、ステップＳ２４７において、カウンタｖがｕ＋１であると判定された場合、すなわち、グループｇに対応する登録グループ管理情報に登録されている全てのＩＤデータについて不一致であると判定された場合、ステップＳ２５１において、完全判定部１８６は、カウンタｖを１インクリメントし、処理は、ステップＳ２４４に戻る。すなわち、読み取られたＩＤデータが、順次カウンタｇで識別されるグループｇが順次変更されて、各グループに登録されているＩＤ−ｖデータと順次比較され、読み取られたＩＤデータと一致するか、または、第３バッファ１８１に記憶されている全てのグループの全てのＩＤデータと比較されるまで、ステップＳ２４４乃至Ｓ２５１の処理が繰り返される。
【０１８４】
そして、例えば、ステップＳ２４９において、不一致ではなく、一致したと判定された場合、ステップＳ２５２において、完全判定部１８６は、第１バッファ１７９に登録されている、読取部１２１または１２３により読み取られたＩＤデータに対応する通信方式と、第３バッファ１８１にメモリ１３５より読み出された各グループのＩＤデータのうち、読み取られたＩＤデータと一致するＩＤデータに対応付けて登録されている通信方式とを比較する。
【０１８５】
ステップＳ２５３において、第１バッファ１７９に登録されている、読取部１２１または１２３により読み取られたＩＤデータに対応する通信方式と、第３バッファ１８１にメモリ１３５より読み出された各グループのＩＤデータのうち、読み取られたＩＤデータと一致するＩＤデータに対応付けて登録されている通信方式とが一致する場合、ステップＳ２５４において、完全判定部１８６は、一致したとみなされたグループｇのＩＤ−ｖデータに対応するチェックフラグをオンの状態、すなわち、チェック済みを示す状態に設定する。
【０１８６】
ステップＳ２５５において、完全判定部１８６は、チェック回数をカウントするカウンタＣを１インクリメントする。
【０１８７】
ステップＳ２５６において、完全判定部１８６は、カウンタＣが処理対象のグループのＩＤデータの数ｕと一致するか否かを判定する。ステップＳ２５６において、一致していない場合、ステップＳ２５７において、完全判定部１８６は、グループに属する全てのＩＤについてチェックが完了していないが、１個のＩＤについてチェック処理が完了したことを認識し、処理を終了する。
【０１８８】
一方、ステップＳ２５６において、カウンタＣが処理対象のグループのＩＤの数ｕと一致する、すなわち、読取部１２１，１２３により読み取られたＩＤの全てが、グループに属する全てのＩＤについてチェックが完了しているとみなされる場合、ステップＳ２５８において、完全判定部１８６は、第３バッファ１８１に記憶されている登録グループ管理情報に登録された全てのＩＤデータのうち、チェックフラグを全て消去（クリア）し、初期化する。
【０１８９】
ステップＳ２５９において、完全判定部１８６は、グループに属する全てのＩＤについてチェックが完了していることを認識し、処理は、終了する。
【０１９０】
一方、ステップＳ２５３において、ＩＤデータ同士が一致したが対応する通信方式が一致しなかった場合、処理は、ステップＳ２５０に戻る。すなわち、読み取られたＩＤデータが、順次カウンタｇで識別されるグループｇに登録されているＩＤ−ｖと順次比較され、読み取られたＩＤと一致し、かつ、通信方式が一致するか、または、第３バッファ１８１に記憶されている全てのグループの全てのＩＤと比較されるまで、ステップＳ２４７乃至Ｓ２５３の処理が繰り返される。
【０１９１】
さらに、ステップＳ２４４において、カウンタｇがグループ数Ｇ＋１と一致したと判定され、第３バッファ１８１に登録されている全てのＩＤデータと、第１バッファ１７９に登録されている読取部１２１または１２３により読み出されたＩＤデータとが全て不一致であったと判定された場合ステップＳ２６０において、完全判定部１８６は、読取部１２１または１２３により読み取られたＩＤデータが登録されたＩＤデータではないものとみなし、ＩＤチェック処理が異常な状態で完了したことを認識し、処理を終了する。
【０１９２】
また、ステップＳ２４１において、ＩＤのチェック回数をカウントするカウンタＣが０ではない、すなわち、２回目以降のＩＤチェックである場合、処理は、ステップＳ２６１に進む。
【０１９３】
ステップＳ２６１において、完全判定部１８６は、処理対象となるＩＤデータを識別するカウンタｖを初期化して１に設定する。
【０１９４】
ステップＳ２６２において、完全判定部１８６は、処理対象となっているＩＤ−ｖデータに対応するチェックフラグの状態を確認する。
【０１９５】
ステップＳ２６３において、完全判定部１８６は、処理対象となっているＩＤ−ｖデータに対応するチェックフラグがオンになっているか、すなわち、既に第１バッファ１７９に登録されているＩＤデータとの比較がなされたＩＤ−ｖデータであるか否かを確認する。
【０１９６】
ステップＳ２６４において、完全判定部１８６は、処理対象となっているＩＤ−ｖデータに対応するチェックフラグがオンになっているか、すなわち、既に第１バッファ１７９に登録されているＩＤデータとの比較がなされたＩＤ−ｖデータであるか否かを判定する。例えば、チェックフラグがオンではなく、これまでにチェックがされてないと判定された場合、処理は、ステップＳ２６５に進む。
【０１９７】
ステップＳ２６５において、完全判定部１８６は、第１バッファ１７９に読取部１２１または１２３により読み取られたＩＤデータと、グループｇにおけるカウンタｖで識別されるＩＤ−ｖデータとを比較する。
【０１９８】
ステップＳ２６６において、完全判定部１８６は、第１バッファ１７９に読取部１２１または１２３により読み取られたＩＤデータと、グループｇにおけるカウンタｖで識別されるＩＤ−ｖデータとが不一致であるか否かを判定する。ステップＳ２６６において、不一致である場合、ステップＳ２６７において、完全判定部１８６は、カウンタｖを１インクリメントし、処理は、ステップＳ２６２に戻る。
【０１９９】
また、ステップＳ２６４において、処理対象となっているＩＤ−ｖデータに対応するチェックフラグがオンになっていないと判定された場合、ステップＳ２６５，Ｓ２６６の処理はスキップされる。すなわち、既に、ＩＤ−ｖデータは、確認済みのであるので、その確認処理を省略する。
【０２００】
そして、例えば、ステップＳ２４９において、不一致ではなく、一致したと判定された場合、ステップＳ２６８において、完全判定部１８６は、第１バッファ１７９に登録されている、読取部１２１または１２３により読み取られたＩＤデータに対応する通信方式と、第３バッファ１８１にメモリ１３５より読み出された各グループのＩＤデータのうち、読み取られたＩＤデータと一致するＩＤデータに対応付けて登録されている通信方式とを比較する。
【０２０１】
ステップＳ２６９において、完全判定部１８６は、第１バッファ１７９に登録されている、読取部１２１または１２３により読み取られたＩＤデータに対応する通信方式と、第３バッファ１８１にメモリ１３５より読み出された各グループのＩＤデータのうち、読み取られたＩＤデータと一致するＩＤデータに対応付けて登録されている通信方式とが一致するか否かを判定する。
【０２０２】
ステップＳ２６９において、第１バッファ１７９に登録されている、読取部１２１または１２３により読み取られたＩＤデータに対応する通信方式と、第３バッファ１８１にメモリ１３５より読み出された各グループのＩＤデータのうち、読み取られたＩＤデータと一致するＩＤデータに対応付けて登録されている通信方式とが一致する場合、ステップＳ２７０において、完全判定部１８６は、一致したとみなされたグループｇのＩＤ−ｖデータに対応するチェックフラグをオンの状態に設定する。
【０２０３】
一方、ステップＳ２６９において、第１バッファ１７９に登録されている、読取部１２１または１２３により読み取られたＩＤデータに対応する通信方式と、第３バッファ１８１にメモリ１３５より読み出された各グループのＩＤデータのうち、読み取られたＩＤデータと一致するＩＤデータに対応付けて登録されている通信方式とが一致しない場合は、ステップＳ２６７において、完全判定部１８６は、カウンタｖを１インクリメントし、処理は、ステップＳ２６２に戻る。
【０２０４】
ステップＳ２７１において、完全判定部１８６は、チェック回数をカウントするカウンタＣを１インクリメントする。
【０２０５】
ステップＳ２７２において、完全判定部１８６は、カウンタＣが処理対象のグループのＩＤデータの数ｕと一致するか否かを判定する。ステップＳ２７２において、一致していない場合、ステップＳ２７３において、完全判定部１８６は、グループに属する全てのＩＤデータについてチェックが完了していないが、１個のＩＤデータについてチェック処理が完了したことを認識し、処理を終了する。
【０２０６】
一方、ステップＳ２７２において、カウンタＣが処理対象のグループのＩＤデータの数ｕと一致する、すなわち、読取部１２１，１２３により読み取られたＩＤデータの全てが、全ての登録グループ管理情報に属する全てのＩＤデータについてチェックが完了していとみなされる場合、ステップＳ２７４において、完全判定部１８６は、第３バッファ１８１に記憶されているデータのうち、チェックフラグを全て消去（クリア）し、初期化する。
【０２０７】
ステップＳ２７５において、完全判定部１８６は、読み取られたＩＤデータと、全ての登録グループ管理情報に属する全てのＩＤとについてのチェックが正常に完了していることを認識し、処理は、終了する。
【０２０８】
さらに、ステップＳ２６２において、カウンタｖがグループｇに対応するＩＤの登録件数ｕ＋１と一致する場合、ステップＳ２７６において、完全判定部１８６は、読取部１２１または１２３により読み取られたＩＤが登録されたＩＤではないものとみなし、ＩＤチェック処理が異常な状態で完了したことを認識し、処理を終了する。
【０２０９】
すなわち、１台の遊技機１について読み取られたＩＤデータと、第３バッファ１８１に記憶されている全ての登録グループ管理情報の、全てのＩＤデータとを比較し、ＩＤデータが一致する登録グループ管理情報があるとき、ＩＣタグ１１乃至１４のいずれかより読み出されたＩＤデータが正規なものであるものとみなされる。逆に、全てのＩＤデータと一致しないとき、読み出されたＩＤデータは正規なＩＤデータではないＩＣタグがＩＣタグ１１乃至１４のいずれかに存在するものとみなせるので、遊技機を構成する基板および部品が正規ではないものとみなされる。
【０２１０】
尚、ステップＳ２６１以降の処理、すなわち、２回目以降の処理においては、グループｇが特定されているため、グループを識別するカウンタｇが固定された処理となっている。
【０２１１】
ここで、図１４のフローチャートの説明に戻る。
【０２１２】
ステップＳ１５５において、完全ＩＤチェック処理が実行されると、ステップＳ１５６において、完全判定部１８６は、完全ＩＤチェック処理が正常処理されているか否かを判定する。ステップＳ１５６において、例えば、ステップＳ２５７，Ｓ２５９，Ｓ２７３，Ｓ２７５などの処理によりＩＤの比較が正常に完了しているような場合、正常であるものと判定され、処理は、ステップＳ１５７に進む。
【０２１３】
一方、ステップＳ１５６において、ステップＳ２６０，Ｓ２７６で示されるように、異常な状態でＩＤチェック処理が実行されている場合、処理は、ステップＳ１５９に進む。
【０２１４】
ステップＳ１５９において、表示制御部１７８は、表示部１５２の３色LED１６１の発光を制御して、例えば、緑色を発光させることにより、完全ＩＤチェック処理が異常が発生している状態であり、ＩＣタグ１１乃至１４からのいずれかから読み出されたＩＤデータが正規のＩＤデータではなかったことを表示させ、処理は、ステップＳ１４６に戻る。
【０２１５】
また、ステップＳ１５７において、完全判定部１８６は、完全ＩＤチェック処理が、正常な状態で完全に完了したか否かを判定する。すなわち、ステップＳ１５７において、例えば、ステップＳ２５９，Ｓ２７５などの処理により、全てのＩＤデータとの比較が正常に完了している場合、処理は、ステップＳ１５８に進む。
【０２１６】
ステップＳ１５８において、表示制御部１７８は、表示部１５２の３色LED１６１の発光を制御して、例えば、青色を発光させることにより、完全ＩＤチェック処理が正常に完了し、ＩＣタグ１１乃至１４からの全てから読み出されたＩＤデータが正規のＩＤデータであったことを表示させ、処理は、ステップＳ１４４に戻る。
【０２１７】
一方、ステップＳ１５７において、完全ＩＤチェック処理が、正常な状態で完全に完了していないと判定された場合、処理は、ステップＳ１５３に戻る。
【０２１８】
さらに、ステップＳ１４６において、読取ボタン１０１が操作されていないと判定された場合、ステップＳ１６０において、モード認識部１７１は、モード切替スイッチ１０３が登録モードに切り替えられたか否かを判定する。ステップＳ１６０において、切り替えられていないと判定された場合、処理は、ステップＳ１４６に戻る。
【０２１９】
一方、ステップＳ１６０において、モード認識部１７１は、モード切替スイッチ１０３が操作されて登録モードに切り替えられた場合、モード切替スイッチ１０３が操作された状態に対応して、登録モードに切り替え、簡易ＩＤチェックモードまたは完全チェックモードによるＩＤチェック処理が終了する。
【０２２０】
以上の処理により、遊技機１に設けられた全てのＩＣタグのＩＤデータを登録グループ管理情報として予め登録しておくことにより、遊技機１に設けられた全てのＩＣタグのＩＤデータを容易に読み出し、さらに、読み取った全てのＩＤデータが、いずれかの登録グループ管理情報の全てのＩＤデータと一致するか否かにより、正規な基板、および部品から構成された遊技機１であるか否かを判定することが可能となり、遊技機１の不正の有無を管理することが可能となる。
【０２２１】
ここで、図５のフローチャートの説明に戻る。
【０２２２】
ステップＳ３において、更新モードである場合、処理は、ステップＳ５に進む。
【０２２３】
ステップＳ５において、追加の更新処理が実行される。
【０２２４】
ここで、図１９のフローチャートを参照して、追記ＩＤの更新処理について説明する。尚、図１９のフローチャートにおいては、ステップＳ３０１乃至Ｓ３０４の処理が、図１４のステップＳ１４１乃至Ｓ１４３およびＳ１４５の処理に、ステップＳ３０６の処理が、図６のステップＳ２２の処理に、ステップＳ３０７乃至Ｓ３１０の処理が、図１４のステップＳ１４６乃至Ｓ１４９の処理に、ステップＳ３１２乃至Ｓ３１４およびＳ３１１の処理が、図１４のステップＳ１５１乃至Ｓ１５４の処理に、ステップＳ３１６乃至Ｓ３２８の処理が、図６のステップＳ２２乃至Ｓ３４の処理に、ステップＳ３３０乃至Ｓ３３４の処理が、図６のステップＳ３６乃至Ｓ４０、ステップＳ３３５の処理が、図１４のステップＳ１５９の処理に、ステップＳ３３６の処理が、ステップＳ１６０の処理に対応している。このため、上述した処理については、その説明を省略するものとする。
【０２２５】
すなわち、ステップＳ３０１乃至Ｓ３０４の処理により、メモリ１３５に登録された登録グループ管理情報が読み出され、チェックフラグが設定された状態で第３バッファ１８１にコピーされると、ステップＳ３０５において、CPU１３４は、第１バッファ１７９を初期化して、記憶されているデータをクリア（消去）する。
【０２２６】
そして、ステップＳ３０６乃至Ｓ３１４の処理により簡易ＩＤチェック処理を実行し、読み取られたＩＤに基づいて、新たな部品や基板のＩＤデータを登録しようとしている遊技機１に対応して登録されているグループを特定する。すなわち、ステップＳ３０７，Ｓ３０８の処理により読み出されるのは、登録済みの部品や基板のＩＤデータであり、これから新たに更新して登録しようとする部品や基板のＩＤデータを登録しようとするグループを簡易ＩＤチェック処理により特定する。
【０２２７】
ステップＳ３１５において、CPU１３４は、第３バッファ１８１に登録されているグループｇのデータを第２バッファ１８０にコピーする。すなわち、この処理により、これから新たに更新して登録しようとする部品や基板のＩＤデータの登録先となるグループｇのデータが第２バッファ１８０に記憶された状態となる。
【０２２８】
ステップＳ３１６乃至Ｓ３２６の処理により、新たな部品や基板のＩＤデータが読み取られ、ＩＤ２重登録チェック処理によりリード異常や２重登録異常がない状態で、ＩＤリードデータ更新処理により第２バッファ１８０に登録された後、ステップＳ３２７において、登録ボタンが押下されたと判定された場合、ステップＳ３２９において、登録部１７２は、ＩＤ更新処理を実行する。
【０２２９】
ここで、図２０のフローチャートを参照して、ＩＤ更新処理について説明する。
【０２３０】
ステップＳ３５１において、登録部１７２は、第２バッファ１８０に登録された、更新により新たに登録しようとするＩＤデータを含んだ状態で更新されているグループｇを含む読取グループ管理情報を第３バッファ１８１の登録グループ管理情報として上書き登録させる。
【０２３１】
ステップＳ３５２において、登録部１７２は、第３バッファ１８１に登録された、登録グループ管理情報である、新たなグループｇの情報を含む登録グループ管理情報を、メモリ１３５に登録されている登録グループ管理情報に上書きして記憶させる。
【０２３２】
ステップＳ３５３において、登録部１７２は、メモリ１３５に第３バッファ１８１に格納されていた新たに登録される登録グループ管理情報であるグループｇのＩＤデータおよび通信方式の情報からなるグループが、メモリ１３５に正常に登録グループ管理情報として登録されたか否かを判定する。ステップＳ３５３において、正常に登録されていると判定された場合、ステップＳ３５４において、登録部１７２は、ＩＤ登録処理が正常に完了したことを認識し、処理を終了する。
【０２３３】
一方、ステップＳ３５３において、正常に登録されていないと判定された場合、ステップＳ３５５において、登録部１７２は、ＩＤ登録処理が異常な状態で完了したことを認識して、処理を終了する。
【０２３４】
すなわち、以上の処理においては、新たに登録されるＩＤデータ、すなわち、追加された部品や基板のＩＣタグより読み出されたＩＤデータ、および通信方式の情報が追加された、情報のグループであるグループｇの情報を含んだ読取グループ管理情報として第２バッファ１８０に更新されて登録され、さらに、登録グループ管理情報として第３バッファに更新されて登録され、そして、メモリ１３５の登録グループ管理情報に上書きされることにより、更新されて登録される。
【０２３５】
尚、図２０のフローチャートを参照して説明したＩＤ更新処理が終了すると、処理は、図１９のフローチャートにおけるステップＳ３３０に戻るが、図１９のステップＳ３３０以降の処理については、図６，図１４のフローチャートを参照して説明した処理と同様であるので、その説明は省略するものとする。
【０２３６】
以上の処理により、新たにＩＤデータとして登録したい部品や基板等が発生しても、容易にメモリ１３５の登録グループ管理情報に追加更新して登録することが可能となる。
【０２３７】
尚、以上においては、動作の状態を表示するため、RGBの３色LED１６１からなる表示部１５２を構成する例について説明してきたが、例えば、図２１で示されるように、３色LED１６１に代えて、LCD（Liquid Crystal Display）や有機EL（Electro-Luminescence）などからなる表示部２０１を設けるように、発光色や点滅などに代えて、動作状態を画像や文字などにより表示させるようにしても良い。
【０２３８】
また、メモリ１３５については、固定型のメモリを用いる例について説明してきたが、ＩＤデータの登録が可能であればよいので、装置外部に記憶装置を設けて、通信によりＩＤデータを登録グループ管理情報として登録したり、または、読み出すようにしても良い。
【０２３９】
以上の如く、本発明によれば、異なる通信方式や異なるプロトコルからなる複数のＩＣタグの情報を遊技機毎に容易に登録することが可能になると共に、それらを遊技機単位で情報のグループとして管理することで、遊技機の不正を容易に管理することが可能となる。
【０２４０】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２４１】
図２２は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０２４２】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０２４３】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０２４４】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０２４５】
また、本明細書において、システムとは、複数の装置により構成される装置全体を表すものである。
【図面の簡単な説明】
【０２４６】
【図１】本発明を適用した遊技機管理システムの実施の形態の構成を示す図である。
【図２】図１の読取端末の実施の形態の構成例を示す図である。
【図３】図１の読取端末の構成例を示す分解斜視図である。
【図４】図１の読取端末により実現される機能の例を示す機能ブロック図である。
【図５】遊技機管理処理を説明するフローチャートである。
【図６】グル−プ毎のＩＤ登録処理を説明するフローチャートである。
【図７】ＩＤリード処理を説明するフローチャートである。
【図８】ＩＤリード処理により読み取られる情報を説明する図である。
【図９】ＩＤ2重登録チェック処理を説明するフローチャートである。
【図１０】ＩＤデータの情報のグループを説明する図である。
【図１１】ＩＤリードデータ更新処理を説明するフローチャートである。
【図１２】ＩＤ登録処理を説明するフローチャートである。
【図１３】メモリに登録されているＩＤデータのグループを説明する図である。
【図１４】ＩＤチェック処理を説明するフローチャートである。
【図１５】メモリリード処理を説明するフローチャートである。
【図１６】メモリより読み出されて第３バッファに記憶されるＩＤデータのグループを説明する図である。
【図１７】簡易ＩＤチェック処理を説明するフローチャートである。
【図１８】完全ＩＤチェック処理を説明するフローチャートである。
【図１９】追加ＩＤの更新処理を説明するフローチャートである。
【図２０】ＩＤ更新処理を説明するフローチャートである。
【図２１】図１のその他の読取端末の実施の形態の構成例を示す図である。
【図２２】汎用のパーソナルコンピュータの構成例を説明する図である。
【符号の説明】
【０２４７】
１，１−１乃至１−３  遊技機
１１，１１−１乃至１１―３  ＩＣタグ
１２，１２−１乃至１２―３  ＩＣタグ
１３，１３−１乃至１３―３  ＩＣタグ
１４，１４−１乃至１４―３  ＩＣタグ
４１  読取端末
１０１  読取ボタン
１０２  登録ボタン
１０３  モード切替スイッチ
１２１  読取部
１２３  読取部
１３４  CPU
１３５  メモリ
１７７  簡易判定部
１８６  完全判定部
【図１】
2010110518.tif 000003
【図２】
2010110518.tif 000004
【図３】
2010110518.tif 000005
【図４】
2010110518.tif 000006
【図５】
2010110518.tif 000007
【図６】
2010110518.tif 000008
【図７】
2010110518.tif 000009
【図８】
2010110518.tif 000010
【図９】
2010110518.tif 000011
【図１０】
2010110518.tif 000012
【図１１】
2010110518.tif 000013
【図１２】
2010110518.tif 000014
【図１３】
2010110518.tif 000015
【図１４】
2010110518.tif 000016
【図１５】
2010110518.tif 000017
【図１６】
2010110518.tif 000018
【図１７】
2010110518.tif 000019
【図１８】
2010110518.tif 000020
【図１９】
2010110518.tif 000021
【図２０】
2010110518.tif 000022
【図２１】
2010110518.tif 000023
【図２２】
2010110518.tif 000024